(57)【要約】【課題】従来のシーンクライアント端末機にはハードディスク（ＨＤＤ）、フロッピー（登録商標）、  ＣＤ−ＲＯＭドライブが必要ではなくなるが、基本的にＣＰＵ、  ＯＳ等は具備されなければならないので、製造費用を最小化するのに難しさがある。又は、それぞれのシーンクライアント端末機にはそれぞれのＯＳが具備されているので、前記ＯＳに対するアップグレード等の変更をするためにはこれを各シーンクライアント端末機に対して個別的にファームウエア又はイムベデ−ドＯＳを別途過程を通じて独立的に遂行しなければならないため、費用及び時間側面で短所がある。【解決手段】  本発明はサーバーの役割をするコンピューター（以下、メインコンピューター）にネットワーク上で接続して使用者がするすべての作業が前記コンピューターで成り立って、その結果だけをネットワーク端末装置に連結されたモニター等に出力するネットワーク端末装置において、前記メインコンピューターから所定のオペレーティングシステム（ＯＳ）をダウンロードを受けて作動することで、  ＣＰＵ及びその用量のメモリーが具備される必要なしにＳｏＣ（Ｓｙｓｔｅｍ  ｏｎ  ａ  Ｃｈｉｐ）及びあの用量のメモリーを使って最小の費用で多重接続コンピュータを遂行するネットワーク端末装置及びその作動方法を提供することにその目的がある。  前記目的を果たすため本発明によるダウンロード方式のオペレーティングシステムに駆動されるネットワーク端末装置は、ネットワーク端末装置内の構成素子に電源を供給する電源部と、前記電源印加によって自動で実行される基本入出力システム（ＢＩＯＳ）が具備された非揮発性保存媒体と、前記基本入出力システム（ＢＩＯＳ）の作動によって初期化されて前記ネットワーク端末装置がメインコンピューターに接続されるようにして、前記メインコンピューターから前記ネットワーク端末装置の作動のためのオペレーティングシステム（ＯＳ）をダウンロードを受けるようにする制御部と、前記制御部によって前記メインコンピューターからダウンロードを受けるオペレーティングシステム（ＯＳ）が保存される揮発性保存媒体が含まれることを特徴とする。  又は、前記目的を果たすため本発明によるダウンロード方式のオペレーティングシステムに駆動されるネットワーク端末装置の駆動方法は、ネットワーク端末装置に電源が印加される段階と、前記電源印加によって前記ネットワーク端末装置の基本入出力システム（ＢＩＯＳ）が自動で実行されてネットワーク端末装置の状態検査及び制御部が初期化（ｉｎｉｔｉａｌｉｚｅ）される段階と、前記初期化によってネットワーク端末装置がメインコンピューターとネットワーク上でお互いに接続されて、前記メインコンピューターに具備された前記ネットワーク端末装置のオペレーティングシステム（ＯＳ）がダウンロードされる段階と、前記ダウンロードされるネットワーク端末装置のオペレーティングシステム（ＯＳ）がネットワーク端末装置の揮発性保存媒体に保存される段階と、前記ネットワーク端末装置の使用者がする作業が前記メインコンピューターで成り立って、その結果だけがネットワーク端末装置に送信される段階が含まれることを特徴とする。【選択図】図５
2007525756.tif 000002
【特許請求の範囲】
【請求項１】
ネットワーク端末装置内の構成素子に電源を供給する電源部と、  
前記電源印加によって自動で実行される基本入出力システム（ＢＩＯＳ）が具備された非揮発性保存媒体と、  
前記基本入出力システム（ＢＩＯＳ）の作動によって初期化されて前記ネットワーク端末装置がメインコンピューターに接続されるようにして、前記メインコンピューターから前記ネットワーク端末装置の作動のためのオペレーティングシステム（ＯＳ）をダウンロードで受けるようにする制御部と、  
前記制御部によって前記メインコンピューターからダウンロードで受けるオペレーティングシステム（ＯＳ）が保存される揮発性保存媒体が含まれることを特徴とするダウンロード方式のオペレーティングシステムで駆動されるネットワーク端末装置。
【請求項２】
前記ネットワーク端末装置及びメインコンピューターがネットワーク上で接続されるように前記メインコンピューターと所定のデータを送受信する通信部と、
受信される信号等を暗号化処理する暗号処理部と、
多数の使用者インタフェースと接続される多数の入出力フォトがより含まれることを特徴とする請求項１に記載のダウンロード方式のオペレーティングシステムで駆動されるネットワーク端末装置。
【請求項３】
前記非揮発性保存媒体はロム（ＲＯＭ）又はフラッシュメモリー（ｆｌａｓｈ  ｍｅｍｏｒｙ）で、  前記制御部を初期化（ｉｎｉｔｉａｌｉｚｅ）できる最小用量である５１２ＫＢ以下に具現されることができることを特徴とする請求項１に記載のダウンロード方式のオペレーティングシステムに駆動されるネットワーク端末装置。
【請求項４】
前記制御部は通常のＣＰＵ（Ｃｅｎｔｒａｌ  Ｐｒｏｃｅｓｓｉｎｇ  Ｕｎｉｔ）ではないプログラミングが可能なＳｏＣ（Ｓｙｓｔｅｍ  ｏｎ  ａ  Ｃｈｉｐ）に具現されることを特徴とする請求項１に記載のダウンロード方式のオペレーティングシステムに駆動されるネットワーク端末装置。
【請求項５】
前記ＳｏＣ（Ｓｙｓｔｅｍ  ｏｎ  ａ  Ｃｈｉｐ）に具現された制御部は前記オペレーティングシステム（ＯＳ）が揮発性保存媒体にダウンロードで完了した後、前記オペレーティングシステム（ＯＳ）によって再初期化されることを特徴とする請求項４に記載のダウンロード方式のオペレーティングシステムに駆動されるネットワーク端末装置。
【請求項６】
前記揮発性保存媒体は駆動メモリー（ｗｏｒｋｉｎｇ  ｍｅｍｏｒｙ）で使われることでラム（ＲＡＭ）に具現されて、前記ラム（ＲＡＭ）の用量が８ＭＢ以下に具現されることができることを特徴とする請求項１に記載のダウンロード方式のオペレーティングシステムに駆動されるネットワーク端末装置。
【請求項７】
前記ネットワーク端末装置及びメインコンピューターがネットワーク上でお互いに接続されることはそれぞれ固有のＩＰアドレスを通じお互いに認識することによることを特徴とする請求項１に記載のダウンロード方式のオペレーティングシステムに駆動されるネットワーク端末装置。
【請求項８】
前記揮発性保存媒体には前記ネットワーク端末装置が固有のＩＰアドレスを持つようにするプログラムが具備されていることを特徴とする  請求項１に記載のダウンロード方式のオペレーティングシステムに駆動されるネットワーク端末装置。
【請求項９】
前記多数の使用者インタフェースにはモニター、キーボード、マウス、  ＵＳＢフォト、  ＰＣＭＣＩＡスロット、スピーカーとマイクジャック、タッチスクリーン、リモートコントローラーが含まれることを特徴とする請求項１に記載のダウンロード方式のオペレーティングシステムに駆動されるネットワーク端末装置。
【請求項１０】
ネットワーク端末装置に電源が印加される段階と、  
前記電源印加によって前記ネットワーク端末装置の基本入出力システム（ＢＩＯＳ）が自動で実行されてネットワーク端末装置の状態検査及び制御部が初期化（ｉｎｉｔｉａｌｉｚｅ）になる段階と、
前記初期化によってネットワーク端末装置がメインコンピューターとネットワーク上でお互いに接続されて、前記メインコンピューターに具備された前記ネットワーク端末装置のオペレーティングシステム（ＯＳ）がダウンロードされる段階と、
前記ダウンロードされるネットワーク端末装置のオペレーティングシステム（ＯＳ）がネットワーク端末装置の揮発性保存媒体に保存される段階と、
前記ネットワーク端末装置の使用者のする作業が前記メインコンピューターで成り立って、その結果だけがネットワーク端末装置に送信される段階が含まれることを特徴とするダウンロード方式のオペレーティングシステムに駆動されるネットワーク端末装置の作動方法。
【請求項１１】
前記オペレーティングシステム（ＯＳ）が前記揮発性保存媒体に保存された後、前記制御部が前記オペレーティングシステム（ＯＳ）によって再初期化される段階がより含まれることを特徴とする請求項１０に記載のダウンロード方式のオペレーティングシステムに駆動されるネットワーク端末装置の作動方法．
【請求項１２】
前記制御部は通常のＣＰＵ（Ｃｅｎｔｒａｌ  Ｐｒｏｃｅｓｓｉｎｇ  Ｕｎｉｔ）ではないプログラミングが可能なＳｏＣ（Ｓｙｓｔｅｍ  ｏｎ  ａ  Ｃｈｉｐ）に具現されることを特徴とする請求項１１に記載のダウンロード方式のオペレーティングシステムに駆動されるネットワーク端末装置の作動方法。
【請求項１３】
前記ネットワーク端末装置に電源が印加されることに先立って、前記メインコンピューターが正常に実行されて、ネットワーク上に連結されている段階がより含まれることを特徴とする請求項１０に記載のダウンロード方式のオペレーティングシステムに駆動されるネットワーク端末装置の作動方法。
【請求項１４】
前記メインコンピューターにはメインコンピューター自体作動のためのオペレーティングシステム（ＯＳ）のみならず、前記ネットワーク端末装置の作動のためのオペレーティングシステム（ＯＳ）がより具備されていることを特徴とする請求項１３に記載のダウンロード方式のオペレーティングシステムに駆動されるネットワーク端末装置の作動方法。
【請求項１５】
前記メインコンピューターとネットワーク端末装置が接続されることはそれぞれ固有のＩＰアドレスを通じてお互いに認識するによることを特徴とする請求項１０に記載のダウンロード方式のオペレーティングシステムに駆動されるネットワーク端末装置の作動方法。
【請求項１６】
前記ネットワーク端末装置の使用者のする作業が前記メインコンピューターで成り立って、その結果だけがネットワーク端末装置に送信される段階は、
前記メインコンピューターのバックグラウンド画面に対するイメージがビットマップ形式に送信されて前記ネットワーク端末機に連結されたモニター画面上に出力される段階と、
前記ネットワーク端末装置の要請によって前記メインコンピューターに具備された応用プログラムが駆動されて、前記応用プログラムの駆動によるすべての計算と保存及びその結果によって変更された領域のイメージがビットマップ形式でネットワークを通じて前記ネットワーク端末装置のモニター画面上に出力される段階で成り立つことを特徴とする請求項１０に記載のダウンロード方式のオペレーティングシステムに駆動されるネットワーク端末装置の作動方法。
【請求項１７】
前記ビットマップは８ｂｉｔ又は１６ｂｉｔのビットマップ形式で、前記ビットマップ形式のイメージ送信の時簡単な認証過程を経るようにできることを特徴とする請求項１６に記載のダウンロード方式のオペレーティングシステムに駆動されるネットワーク端末装置の作動方法。
【請求項１８】
前記モニターに出力されるディスプレーサイズ及び色相数は使用者の要求によって調節されることができることを特徴とする請求項１６に記載のダウンロード方式のオペレーティングシステムに駆動されるネットワーク端末装置の作動方法。
【発明の詳細な説明】
【技術分野】
【０００１】
本発明はダウンロード方式のオペレーティングシステムに駆動されるネットワーク端末装置及びその作動方法に関することで、特にサーバーの役割をするコンピューターにネットワーク上で接続して所定のオペレーティングシステム（ＯＳ）をダウンロードを受けて作動して、使用者がするすべての作業が前記コンピューターで成り立って、その結果だけがネットワーク端末装置に連結されたモニター等使用者インタフェース（ＵＩ）に出力されるネットワーク端末装置及びその作動方法に関することである。
【背景技術】
【０００２】
パーソナルコンピューター（ＰＣ）が徐々に大型化、高費用化になることで発生される諸般の問題、特に全体的な費用（ＴＣＯ）の上昇とインターネットサーフィン等の業務以外の活動に多くの時間を奪われる問題点等を解決するために最近になってシーンクライアント／サーバーシステム（ｔｈｉｎ  ｃｌｉｅｎｔ／ｓｅｒｖｅｒ  ｓｙｓｔｅｍ）が脚光を浴びている。
【０００３】
シーンクライアント（ｔｈｉｎ  ｃｌｉｅｎｔ）は使用者の作動に必要な最小限の構成物品を取り揃えた軽くてしなやかな端末機（ｔｅｒｍｉｎａｌ）を意味することとして、その間机一角を占めた大きくて重いＰＣを取り替えるために開発されたのものである。
【０００４】
すなわち、これは中央サーバーにすべての応用プログラムを置いて必要な時ごとに使用するということで、この時サーバーの応用プログラムをダウンロードを受けて使用するのではなく、すべての実行過程がサーバーで起きて単純にディスプレーされる画面値のみをが用いて使うことを意味して、もちろん作業終了後にはサーバーにある個人使用者のフォルダに作業内容が保存される。
【０００５】
又は、サーバーに多くの使用者が同時に使用して他の応用プログラムを独立的に実行させることもでき、したがって個人ＰＣではないが個人が感じるには、まるで自分のＰＣを使うことと同じ効果を得るようになるのである。
【０００６】
図１は従来のシーンクライアント／サーバーシステムの概略的な連結状態図である。
【０００７】
図１を参照すれば、これは高性能サーバー（１０１）と多数のシーンクライアント（１３０）がネットワークを通じて連結されているし、シーンクライアント（１３０）からの要求によってサーバー（１０１）はサーバーに設置されている特定応用プログラムを遂行して、遂行結果によって変更された領域のイメージを圧縮、伝送してシーンクライアント（１３０）のモニター画面上に出力するようになる。
【０００８】
このようなシーンクライアント（端末機）（１３０）は外形だけではなく、作動方式が従来ＰＣとは根本的に違うように作動する。これはシーンクライアントシステムの又他の名称である“サーバー基盤コンピュータ”から分かるところのように、サーバー（１０１）にすべての応用プログラム（アプリケーション）等を設置した状態でシーンクライアント（１３０）は特定応用プログラムが必要な時ごとにサーバー（１０１）に接続して該当の応用プログラムを作動させてサーバー（１０１）では  応用プログラムの結果（変更されたイメージ）のみをシーンクライアントに送ってモニター画面に表示する方式で駆動される。
【０００９】
従来のシーンクライアントネットワークシステムでシーンクライアント（１３０）でグラフィック情報を送る過程を図２のフロー図を参照して説明する。
【００１０】
図２を参照すれば、先にシーンクライアント（１３０）はＴＣＰ／ＩＰ又はＩＰＸプロトコルを利用して応用プログラム（未図示）が設置されたサーバー（１０１）に接続する（Ｐ２０）。  
【００１１】
ただ、前記シーンクライアント（１３０）が前記サーバー（１０１）に接続するのに先立って前記シーンクライアント（１３０）に電源が印加されれば、内部に具備されたファームウエア（Ｆｉｒｍｗａｒｅ、  ＢＩＯＳ）及びイムベデ−ドＯＳを通じて起動（ｓｔａｒｔ−ｕｐ）作動が開始される。（Ｐ１０）
【００１２】
その次簡単な認証過程を経過した後、サーバー（１０１）に用意された応用プログラム（例：  ウィンドウズ（登録商標）メディアプレー又はワードプロセッサープログラム等）を駆動させる（Ｐ３０）。  
【００１３】
前記過程でシーンクライアント（１３０）は入力装置（例：キーボードとマウス）でサーバー（１０１）に入力信号を伝達してサーバーの応用プログラムを駆動させる。
【００１４】
ここにサーバー（１０１）はシーンクライアント（１３０）の要請によって応用プログラムを駆動させて、  応用プログラムの駆動によるすべての計算と保存そしてその結果等はグラフィック情報に生成されてネットワークを通じてシーンクライアント（１３０）に伝達（Ｐ４０）されて、シーンクライアント（１３０）は伝達を受けたグラフィック情報をモニターに出力する（Ｐ５０）。
【００１５】
このようなサーバー（１０１）とシーンクライアント（１３０）間の接続とコミュニケーションはＣｉｔｒｉｘ社で考案したＩＣＡ（Ｉｎｄｅｐｅｎｄｅｎｔ  Ｃｏｍｐｕｔｉｎｇ  Ａｒｃｈｉｔｅｃｔｕｒｅ）又はマイクロソフト社でデザインされたＲＤＰ（Ｒｅｍｏｔｅ  Ｄｅｓｋｔｏｐ  Ｐｒｏｔｏｃｏｌ）で成り立つのに、  ＲＤＰを使う場合にはウィンドウズ（登録商標）ターミナルサーバーだけでサービスが可能で、ウィンドウズ（登録商標）ターミナルサーバーはＣｉｔｉｒｘ社のＷｉｎＦｒａｍｅ又はＭｅｔａＦｒａｍｅを設置してサービスを提供する。  
【００１６】
Ｃｉｔｒｉｘ社の製品等はＤＯＳ、ＯＳ／２、Ｕｎｉｘ（登録商標）、Ｊａｖａ（登録商標）そして多様なクライアント等を支援する。  
【００１７】
このように、シーンクライアント（１３０）を利用したネットワークシステムは、従来コンピューターと違いクライアントごとに応用プログラムを別途に購買して設置する必要がないし、周辺器機又は大幅にとり除くことでハードウェア費用節減はもちろん大きさを画期的に縮小して空間活用側面で卓越な長所を発揮する。そして、コンピューター故障の主原因である周辺器機が除去されることによって維持、補修費用も大きく節約される長所がある。  
【００１８】
しかし、このような従来のシーンクライアント／サーバーシステムにおいて、ここに使われるサーバーでは高性能のＷｉｎ  ２０００サーバー級以上が具備されなければならないし、シーンクルラオント端末機も前記サーバーに具備された中央処理装置（ＣＰＵ）と別個にシーンクライアント自体システム内部の演算、制御等一連の過程を制御して調整する中央処理装置（ＣＰＵ）が具備されなければならない。
【００１９】
又は、前記シーンクライアント端末機には端末機自体からの作動のための別途のオペレーティングシステム（ＯＳ）が具備されているし、このようなＯＳを含むその用量のメモリー及びラム（ＲＡＭ）と、シーンクライアントの構成要素に対する基本設定を保存するバイアス（ＢＩＯＳ）と、多くの連結オプション（ｓｅｒｉａｌ、ｐａｒａｌｌｅｌ、ＵＳＢフォト、ＰＣＭＣＩＡスロット、スピーカーとマイクジャック等）等が具備されなければならない。
【発明の開示】
【発明が解決しようとする課題】
【００２０】
従来のシーンクライアント端末機にはハードディスク（ＨＤＤ）、フロッピー（登録商標）、ＣＤ−ＲＯＭドライブが必要ではなくなるが、基本的にＣＰＵ、ＯＳ等は具備されなければならないので、製造費用を最小化するのに難しさがある。
【００２１】
又は、それぞれのシーンクライアント端末機にはそれぞれのＯＳが具備されているので、前記ＯＳに対するアップグレード等の変更をするためにはこれを各シーンクライアント端末機に対して個別的にファームウエア又はイムベデ−ドＯＳを別途過程を通じて独立的に遂行しなければならないため、費用及び時間側面で短所がある。
【課題を解決するための手段】
【００２２】
本発明はサーバーの役割をするコンピューター（以下、メインコンピューター）にネットワーク上で接続して使用者がするすべての作業が前記コンピューターで成り立って、その結果だけをネットワーク端末装置に連結されたモニター等に出力するネットワーク端末装置において、前記メインコンピューターから所定のオペレーティングシステム（ＯＳ）をダウンロードを受けて作動することで、ＣＰＵ及びその用量のメモリーが具備される必要なしにＳｏＣ（Ｓｙｓｔｅｍ  ｏｎ  ａ  Ｃｈｉｐ）及びあの用量のメモリーを使って最小の費用で多重接続コンピュータを遂行するネットワーク端末装置及びその作動方法を提供することにその目的がある。
【００２３】
前記目的を果たすため本発明によるダウンロード方式のオペレーティングシステムに駆動されるネットワーク端末装置は、ネットワーク端末装置内の構成素子に電源を供給する電源部と、前記電源印加によって自動で実行される基本入出力システム（ＢＩＯＳ）が具備された非揮発性保存媒体と、前記基本入出力システム（ＢＩＯＳ）の作動によって初期化されて前記ネットワーク端末装置がメインコンピューターに接続されるようにして、前記メインコンピューターから前記ネットワーク端末装置の作動のためのオペレーティングシステム（ＯＳ）をダウンロードを受けるようにする制御部と、前記制御部によって前記メインコンピューターからダウンロードを受けるオペレーティングシステム（ＯＳ）が保存される揮発性保存媒体が含まれることを特徴とする。  
【００２４】
又は、前記目的を果たすため本発明によるダウンロード方式のオペレーティングシステムに駆動されるネットワーク端末装置の駆動方法は、ネットワーク端末装置に電源が印加される段階と、前記電源印加によって前記ネットワーク端末装置の基本入出力システム（ＢＩＯＳ）が自動で実行されてネットワーク端末装置の状態検査及び制御部が初期化（ｉｎｉｔｉａｌｉｚｅ）される段階と、前記初期化によってネットワーク端末装置がメインコンピューターとネットワーク上でお互いに接続されて、前記メインコンピューターに具備された前記ネットワーク端末装置のオペレーティングシステム（ＯＳ）がダウンロードされる段階と、前記ダウンロードされるネットワーク端末装置のオペレーティングシステム（ＯＳ）がネットワーク端末装置の揮発性保存媒体に保存される段階と、前記ネットワーク端末装置の使用者がする作業が前記メインコンピューターで成り立って、その結果だけがネットワーク端末装置に送信される段階が含まれることを特徴とする。
【発明の効果】
【００２５】
このような本発明によれば、ネットワーク上に接続されたコンピューターの応用プログラムを使用する時前記メインコンピューターから所定のＯＳをダウンロードを受けることで、最小の費用で多重接続コンピュータを遂行することができるし、故障が少なくて、又すべてのデータや応用プログラムがサーバーの役割をするメインコンピューターにだけ存在するためデータの保安及びウイルスに感染される確率がほとんどなくなる長所がある。  
【００２６】
又は、メインコンピューターに多重接続される本発明によるネットワーク端末装置内にＯＳが具備されないで、前記コンピューターからこれを提供を受けて作動するのでネットワーク端末装置の構造が単純になってそれによって前記ネットワーク端末装置の製造単価を最小にできて、ＯＳの変更と修正が要求される時、自動的にダウンロー過程を通じて変更された最進ＯＳで初期化されるからネットワーク端末装置の性能及び機能変更にあって一括的で速やかに対応することができる構造を持つ長所がある。
【００２７】
又は、コンピューター上ですべての応用プログラムをはじめ各種情報を統制することができて管理が容易なため今後の管理にかかるＴＣＯ（Ｔｏｔａｌ  Ｃｏｓｔ  ｏｆ  Ｏｗｎｅｒｓｈｉｐ）が少なくかかり、前記コンピューター及びこれに多重に接続されるネットワーク端末装置を導入する時消費される費用であるＴＤＣ（Ｔｏｔａｌ  Ｄｅｐｌｏｙｍｅｎｔ  Ｃｏｓｔ）も少なく所要されるという長所がある。
【発明を実施するための最良の形態】
【００２８】
図３は本発明の一実例施によるダウンロード方式のオペレーティングシステムに駆動されるネットワーク端末装置が具備されたシステムを概略的に示した図面である。
【００２９】
図３を参照すれば、これはサーバーの役割をするコンピューター（以下、メインコンピューター）（３０１）と、前記メインコンピューター（３０１）にネットワークを通じて多重接続（ｍｕｌｔｉ−ａｃｃｅｓｓ）されたネットワーク端末装置（３３０）等で構成されているし、使用者は前記ネットワーク端末装置（３３０）を通じて前記メインコンピューター（３０１）に具備された所定の応用プログラムを使用することができるようになる。
【００３０】
すなわち、前記ネットワーク端末装置（３３０）の要求によって前記メインコンピューター（３０１）に具備された特定応用プログラムが遂行されて、遂行結果によって変更された領域のイメージをビットマップ形式で送信されて前記ネットワーク端末装置（３３０）のモニター（３３２）画面上に出力されることで、前記メインコンピューター（３０１）には使用者が遂行しようとするすべての応用プログラム（アプリケーション）等が設置された状態で、前記メインコンピューター（３０１）に接続されたネットワーク端末装置（３３０）は前記特定応用プログラムが必要な時ごとに前記コンピューター（３０１）に接続して該当の応用プログラムを作動させて前記コンピューター（３０１）では応用プログラムの結果（変更されたイメージ）だけをネットワーク端末装置（３３０）に送ってモニター（３３２）画面に表示する方式に駆動されるのである。
【００３１】
この時、本発明は前記ネットワーク端末装置（３３０）の作動のためのオペレーティングシステム（ＯＳ）が前記ネットワーク端末装置（３３０）内に具備されないで、ネットワーク端末装置（３３０）が作動する時ごとにネットワーク上に接続された前記メインコンピューター（３０１）から前記ＯＳをダウンロードを受けて作動されることをその特徴とする。  
【００３２】
これに前記メインコンピューター（３０１）には前記ネットワーク端末装置（３３０）の作動のためのＯＳが具備されていなければならなくて、前記メインコンピューター（３０１）は前記ネットワーク端末装置（３３０）との接続が成り立てば前記ＯＳを提供するようになる。
【００３３】
結果的に本発明は前記ネットワーク端末装置（３３０）が前記メインコンピューター（３０１）から所定のオペレーティングシステム（ＯＳ）をダウンロードを受けて作動することで、  ＣＰＵ及びその用量のメモリーが具備される必要なしにプログラミングが可能なＳｏＣ（Ｓｙｓｔｅｍ  ｏｎ  ａ  Ｃｈｉｐ）及び低用量のメモリーを使って最小の費用で多重接続を遂行することができるようになるのである。
【００３４】
言い換えれば、前記メインコンピューター（３０１）には前記ネットワーク端末装置（３３０）による多重接続を支援するために前記ネットワーク端末装置（３３０）のＯＳが設置されているし、ラン（ＬＡＮ）又はインターネット等によって前記ネットワーク端末装置（３３０）が前記メインコンピューター（３０１）に接続されれば、前記メインコンピューター（３０１）に設置されたネットワーク端末装置（３３０）のＯＳが前記ネットワーク端末装置（３３０）にダウンロードされて、前記ＯＳのダウンロードが完了することにより前記ネットワーク端末装置（３３０）はコンピュータ作業すなわち、前記メインコンピューター（３０１）に具備された所定の応用プログラムを使うことができるようになるのである。
【００３５】
又は、前記ネットワーク端末装置（３３０）は一実施例として従来のシーンクライアント端末機とは違い制御部としてＣＰＵではないヴィン（ｂｌａｎｋ）状態のプログラミングが可能なＳｏＣ（Ｓｙｓｔｅｍ  ｏｎ  ａ  Ｃｈｉｐ）を使うことをその特徴とする。
【００３６】
図４は図３に図示されたメインコンピューターの内部構成を概略的に示すブロック図である。
【００３７】
ただ、これは一つの実施例に過ぎないので、前記メインコンピューターの構造がこれに限定されることではない。
【００３８】
図４を参照すれば、メインコンピューター（４００）の構成要素は中央処理装置（ＣＰＵ）（４１０）、システムメモリー（４２０）、及びシステムメモリー（４２０）を含む多様なシステム構成要素をＣＰＵ（４１０）に結合させるシステムバス（４３０）を含む。
【００３９】
前記ＣＰＵ（４１０）はコンピューターシステム全体を制御する装置として、多様な入力装置から資料を受けて処理した後その結果を出力装置に送る一連の過程を制御して調整することを遂行する。  
【００４０】
中大型コンピューターではこれを中央処理装置（ｃｅｎｔｒａｌ  ｐｒｏｃｅｓｓｉｎｇ  ｕｎｉｔ：ＣＰＵ）と言うが、小型コンピューターでは時々マイクロプロセッサー（ｍｉｃｒｏ  ｐｒｏｃｅｓｓｏｒ）又は略してそのままプロセッサーと呼んだりするが、名称だけ違うだけで基本的に等しい機能を遂行する。
【００４１】
又は、前記ＣＰＵ（４１０）は比較、判断、演算を担当する論理演算装置（ａｒｉｔｈｍｅｔｉｃ  ｌｏｇｉｃ  ｕｎｉｔ）と命令語の解釈と実行を担当する制御装置（ｃｏｎｔｒｏｌ  ｕｎｉｔ）で構成される。
【００４２】
ここで、論理演算装置（ＡＬＵ）は各種足し算を遂行して結果を遂行する加算器（ａｄｄｅｒ）と、算術と論理演算の結果を一時的に記憶するレジスターである累算器（ａｃｃｕｍｕｌａｔｏｒ）、ＣＰＵにある一種の臨時記憶装置であるレジスター（ｒｅｇｉｓｔｅｒ）等で構成されていて、制御装置はプログラムの遂行手順を制御するプログラム計数器（ｐｒｏｇｒａｍ  ｃｏｕｎｔｅｒ）、現在遂行中である命令語の内容を臨時記憶する命令レジスター（ｉｎｓｔｒｕｃｔｉｏｎ  ｒｅｇｉｓｔｅｒ）、命令レジスターに収録された命令を解読して遂行される装置に制御信号を送る命令解読器（ｉｎｓｔｒｕｃｔｉｏｎ  ｄｅｃｏｄｅｒ）で成り立っている。
【００４３】
そして、システムバス（４３０）はメモリーバス又はメモリーコントローラー、周辺装置バス、及び任意の多様なバスアーキテクチャーを利用するローカルバスを含む数個のタイプのバス構造の中で一つになることができる。  例えば、そういう構造はＩＳＡ（Ｉｎｄｕｓｔｒｙ  Ｓｔａｎｄａｒｄ  Ａｒｃｈｉｔｅｃｔｕｒｅ）バス、ＭＣＡ（Ｍｉｃｒｏ  Ｃｈａｎｎｅｌ  Ａｒｃｈｉｔｅｃｔｕｒｅ）バス、ＥＩＳＡ（Ｅｎｈａｎｃｅｄ  ＩＳＡ）バス、ＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）ローカルバス、メザニン（Ｍｅｚｚａｎｉｎｅ）バスでも知られたＰＣＩバスを含む。
【００４４】
留意する点は、メインコンピューター（４００）に図示された構成要素の中で任意の一つ及び全部は広域にかけて分散されたものなどを含む標準高速コンピューターネットワークによってお互いに接続される。例えば、システムメモリー（１３０）はＣＰＵ（１２０）とは物理的には他の位置に配置されることができるが、論理的コンピューター（１１０）として組み合わせ可能な形態に定義される。
【００４５】
又は、コンピューター（４００）は通常多様なコンピューター判読可能な媒体を含む。
【００４６】
コンピューター判読可能な媒体はコンピューター（４００）によってアクセスされることができる任意の可溶した媒体になることができるし、揮発性及び非揮発性媒体、除去可能及び除去不可能媒体を全て含む。
【００４７】
コンピューター保存媒体はＲＡＭ、ＲＯＭ、ＥＥＰＲＯＭ、フラッシュメモリー又は他のメモリー技術、ＣＤ−ＲＯＭ、ＤＶＤ又は他の光学ディスク保存装置、磁気カセット、磁気テープ、磁気ディスク保存装置又は他の磁気保存装置、又は望む情報を保存するのに利用されることができるしコンピューター（４００）によってアクセスされることができる任意の他の媒体を含む。
【００４８】
通信媒体は通常コンピューター判読可能な命令、データ構造、プログラムモジュール又は他のデータを搬送波のような変調データ信号又は他の送信メカニズムで実施して、任意の情報伝達媒体を含む。
【００４９】
システムメモリー（４２０）はＲＯＭ（４２２）及びＲＡＭ（４２６）のような揮発性及び／又は非揮発性メモリー形態のコンピューター保存媒体を含む。起動（ｓｔａｒｔ−ｕｐ）の間のようににコンピューター（４００）内の素子等の間の情報伝達を手伝ってくれる基本ルーチンを含む基本入出力システム（４２４、  ＢＩＯＳ）は通常ＲＯＭ（４２２）に保存される。  
【００５０】
ＲＡＭ（４２６）は通常ＣＰＵ（４１００）に直ちにアクセス可能とかこれによって現在作動しているデータ及び／又はプログラムモジュールを含む。  例えば、図４はオペレーティングシステム（ＯＳ）（４２８）、アプリケーションプログラム（４２９）、他のプログラムモジュール及びプログラムデータを含んでいる。
【００５１】
又は、前記メインコンピューター（４００）は他の除去可能／除去不可能、揮発性／非揮発性コンピューター保存媒体を含むことができる。一例で、図４は除去不可能、非揮発性磁気媒体に記録するとか判読するハードディスクドライブ（４４２）、除去可能、非揮発性磁気ディスクに記録するとか判読する磁気ディスクドライブ、及びＣＤＲＯＭ又は他の光学媒体のような除去可能、非揮発性光ディスクに記録するとか判読する光ディスクドライブを示している。
【００５２】
ハードディスクドライブ（４４２）は通常インタフェースのような除去不可能メモリーインタフェース（４４０）を通じてシステムバス（４３０）に接続されて、磁気ディスクドライブ及び光ディスクドライブは通常インタフェースと一緒に除去可能メモリーインタフェースによってシステムバス（４３０）に接続される。
【００５３】
本発明に適用されるメインコンピューターの場合前記某コンピューターの作動のために具備されるＯＳ（４２６）以外に前記メインコンピューター（４００）に多重接続されるネットワーク端末装置のオペレーティングシステム（ＯＳ）（４５０）も保存されていることをその特徴とする。
【００５４】
この時、前記ネットワーク端末装置のＯＳ（４５０）は前記非揮発性コンピューター保存媒体としてハードディスク（ＨＤＤ）（４６０）に保存されることができるし、前記ＲＡＭ（４２６）に保存されてＣＰＵ（４１０）によって直ちにアクセスが可能である。以上説明されて図４に例示されたドライブ及びその関連コンピューター保存媒体はコンピューターに対してコンピューター判読可能な命令、データ構造、プログラムモジュール及び他のデータの保存を提供する。  
【００５５】
使用者はキーボード、通常マウス、トラックボール又はタッチパッドに指称されるポインティング装置等を通じてコンピューターに命令と情報を入力する。  
【００５６】
これはシステムバス（４３０）に結合される使用者入力インタフェースを通じてＣＰＵ（４１０）にたびたび接続されて、並列フォト、ゲームフォト又はＵＳＢ（ｕｎｉｖｅｒｓａｌ  ｓｅｒｉａｌ  ｂｕｓ）のような他のインタフェース及びバス構造によって接続されることもできる。  モニター又は他のタイプのディスプレー装置は又はビデオインタフェースのようなインタフェースを通じてシステムバス（４３０）に接続される。  
【００５７】
このようなメインコンピューター（４００）は遠隔コンピューターのような一つ以上の遠隔コンピューターへの論理的接続を利用してネットワーキングされた環境で作動することができる。  
【００５８】
この時前記遠隔コンピューターではパーソナルコンピューター、サーバー、ラウター、ネットワークＰＣ、ピオ装置又は他の共通ネットワークノードなことがあるが、本発明の場合前記メインコンピューター内に具備された応用プログラム等のリソース（ｒｅｓｏｕｒｃｅ）を共有するため、前記メインコンピューターに本発明によるネットワーク端末装置が接続される。  
【００５９】
ここで、前記コンピューターとネットワーク端末装置間の論理的接続はＬＡＮ及びＷＡＮを含むが、他のネットワークを含むこともでき、この時ＬＡＮネットワーキング環境で利用される場合、コンピューター（４００）はネットワークインタフェースを通じてＬＡＮに接続されて、ＷＡＮネットワーキング環境で利用される場合は、コンピューター（４００）は通常モデム又はインターネットのようにＷＡＮを通じる通信を確立するための他の手段を含む。      
【００６０】
図５は図３に図示された本発明によるネットワーク端末装置の内部構成を概略的に示すブロック図である。
【００６１】
ただ、これは一つの実施例に過ぎないので、本発明によるネットワーク端末装置の構造がこれに限定されるのことではない。
【００６２】
図５を参照すれば、本発明によるネットワーク端末装置（５００）は、ネットワーク端末装置内の構成素子に電源を供給する電源部（５４０）と、前記電源印加によって自動で実行される基本入出力システム（ＢＩＯＳ）（５２２）が具備された非揮発性保存媒体（５２０）と、前記基本入出力システム（５２２）の作動によって初期化されて前記ネットワーク端末装置（５００）がメインコンピューター（４００）に接続されるようにして、前記メインコンピューター（４００）から前記ネットワーク端末装置の作動のためのオペレーティングシステム（ＯＳ）をダウンロードを受けるようにする部（５１０制御）と、前記制御部（５１０）によって前記メインコンピューター（４００）からダウンロードを受けるＯＳが保存される揮発性保存媒体（５３０）が含まれて構成される。  
【００６３】
又は、前記ネットワーク端末装置（５００）と前記メインコンピューター（４００）は、ＬＡＮ又はＷＡＮ等によってネットワーク上に接続されることができるのに、これに従って前記ネットワーク端末装置（５００）には前記接続のために前記メインコンピューター（４００）と所定のデータを送受信する通信部（５５０）が具備されているし、受信される信号等を暗号化処理する暗号処理部（未図示）及び多数の使用者インタフェースと接続される多数の入出力フォト（５６０）等も具備されている。
【００６４】
この時、前記多数の使用者インタフェースにはモニター、キーボード、マウス、  ＵＳＢフォト、ＰＣＭＣＩＡスロット、スピーカーとマイクジャック、タッチスクリーン、リモートコントローラー等が含まれる。
【００６５】
ここで、前記非揮発性保存媒体（５２０）はロム（ＲｅａｄＯｎｌｙＭｅｍｏｒｙ）（ＲＯＭ）又はフラッシュメモリー（ｆｌａｓｈ  ｍｅｍｏｒｙ）になることができるし、これは前記制御部（５１０）を初期化（ｉｎｉｔｉａｌｉｚｅ）できる最小用量で具現することにその特徴がある。すなわち、前記非揮発性保存媒体（５２０）は前記ネットワーク端末装置（５００）に電源が印加されることによった基本入出力システム（ＢＩＯＳ）の役割を遂行するようにすることにその目的がある。
【００６６】
前記基本入出力システム（ＢＩＯＳ）（５２２）は電源印加によって最初ネットワーク端末装置（５００）の制御を引き受けるプログラムで、一番基本的な機能を処理するプログラム等の集合を意味する。
【００６７】
このような前記ＢＩＯＳ（５２２）を構成するルーチンではスタート−アップ（ｓｔａｒｔ−ｕｐ）ルーチンと、サービス処理ルーチン等があり、前記スタート−アップルーチンはネットワーク端末装置（５００）がつく時自動で実行されてネットワーク端末装置（５００）の状態を検査して、前記制御部（５１０）を初期化（ｉｎｉｔｉａｌｉｚｅ）する作業をして、初期化作業中にどんな周辺装置が連結されているのか確認する。
【００６８】
すなわち、前記ネットワーク端末装置（５００）に連結された使用者インタフェース（モニター、キーボード、マウス等）のためのインタフェースモジュール、前記ネットワーク端末装置（５００）が基本的なネットワーク装備として認識されるための基本モジュール等が前記初期化によって具現されるのである。
【００６９】
本発明の場合前記非揮発性保存媒体（５２０）は前記ＢＩＯＳ（５２２）の役割を遂行するのが目的なのでその用量が５１２ＫＢ以下に具現されることができることをその特徴とする。
【００７０】
ただ、前記非揮発性保存媒体（５２０）の用量が５１２ＫＢより大きい用量に具現される場合も前記目的を遂行することに全然問題がない。
【００７１】
このような前記ＢＩＯＳ（５２２）によって初期化される制御部（５１０）は、前記初期化によって前記ネットワーク端末装置（５００）が基本的なネットワーク装備として認識されることができるようにするし、これによって前記ネットワーク端末装置（５００）はメインコンピューター（４００）とネットワーク上でお互いに接続されることができるようになる。
【００７２】
この時、前記メインコンピューター（４００）とネットワーク端末装置（５００）が接続されることはそれぞれ固有のＩＰアドレスを通じてお互いに認識することによる。
【００７３】
よって、前記ネットワーク端末装置（５００）も固有のＩＰアドレスを持たなければならないし、このために前記非揮発性保存媒体（５２０）には前記ネットワーク端末装置が固有のＩＰアドレスを持つようにするプログラムが具備されていることを特徴とする。
【００７４】
又は、本発明の場合初期化される前記制御部（５１０）は、初期化によってネットワーク端末装置（５００）がメインコンピューター（４００）とネットワーク上でお互いに接続されるようにするのみならず、前記メインコンピューター（４００）に具備された前記ネットワーク端末装置のオペレーティングシステム（ＯＳ）をダウンロードを受けるようにする役割を遂行する。すなわち、本発明によるネットワーク端末装置（５００）は自体のＯＳを独立的に保存しないで、作動する時ごとに前記メインコンピューター（４００）からダウンロードを受けてこれを実行させることでコンピュータ作業を遂行することを特徴とする。  
【００７５】
前記初期化された制御部（５１０）によってダウンロードされるネットワーク端末装置のＯＳは前記揮発性保存媒体（５３０）に保存される。
【００７６】
ここで、前記揮発性保存媒体（５３０）は駆動メモリー（ｗｏｒｋｉｎｇ  ｍｅｍｏｒｙ）で使われることでラム（ＲＡＭ）に具現されることが望ましくて、前記ラム（ＲＡＭ）の用量は８ＭＢ以下になることもできる。  
【００７７】
もし、ディスプレーのために臨時保存される画像データが画面の大きさ又は色相数又は動画のために多くの画面が順次に予め用意されなければならない場合及び複数のプロトコルを内蔵しようとＯＳの大きさが大きくなる場合には前記ラム（ＲＡＭ）の用量は８ＭＢよりももっと大きく適用されて揮発性保存媒体（５３０）の駆動メモリーに使われることができるはずだである。
【００７８】
又は、前記制御部（５１０）では中央処理装置（ＣＰＵ）が使われることができるが、図５に図示された本発明の実施例には前記制御部（５１０）でＳｏＣ（Ｓｙｓｔｅｍ  ｏｎ  ａ  Ｃｈｉｐ）を使用している。
【００７９】
この時、前記制御部（５１０）でＳｏＣ（Ｓｙｓｔｅｍ  ｏｎ  ａ  Ｃｈｉｐ）を使用する場合、前記ＯＳが揮発性保存媒体（５３０）にダウンロードが完了した後、前記ＯＳによって再初期化される段階をより経るようになる特徴がある。
【００８０】
このように前記制御部（５１０）が再初期化されれば、前記ネットワーク端末装置（５００）は前記ネットワーク端末装置の作動のためのＯＳと、前記ＯＳによってネットワーク端末装置を全体的に制御する制御部（５１０）を具備するようになって、使用者が望むコンピュータ作業（すなわち、メインコンピューターにネットワーク上に接続して使用者がするすべての作業が前記コンピューターで成り立って、その結果だけをネットワーク端末装置で送るようにする機能）を遂行するようになるのである。図６は本発明の一実施例によるダウンロード方式のオペレーティングシステムに駆動されるネットワーク端末装置が具備されたシステムの作動を説明する順序図である。
【００８１】
図５及び６を参照すれば、先にネットワーク端末装置（５００）に電源が印加される。（ＳＴ  ６０）
【００８２】
ただ、前記ネットワーク端末装置（５００）に電源が印加されることに先立って、前記ネットワーク端末装置（５００）と接続されて内部のリソースを共有するようにするメインコンピューター（４００）は正常に実行されて、ネットワーク上に連結された状態にならなければならない。  
【００８３】
すなわち、前記メインコンピューター（４００）に具備されたソフトウェアが正常に遂行されて、固有のＩＰアドレスでネットワーク上に連結された状態すなわち、オンライン状態にあり、又は、前記メインコンピューター（４００）にはメインコンピューター自体作動のためのＯＳのみならず、前記ネットワーク端末装置の作動のためのＯＳが具備されていることを特徴とする。
【００８４】
前記ネットワーク端末装置（５００）に電源が印加されれば、次にそれによって前記ネットワーク端末装置の基本入出力システム（ＢＩＯＳ）（５２２）が自動で実行されてネットワーク端末装置の状態検査及び制御部（５１０）を初期化（ｉｎｉｔｉａｌｉｚｅ）するようになる。（ＳＴ  ６１）
【００８５】
すなわち、前記ネットワーク端末装置（５００）がつく時非揮発性保存媒体（ロム又はフラッシュメモリー）（５２０）に具備された前記ＢＩＯＳ（５２２）が自動で実行されてネットワーク端末装置（５００）の状態を検査して、前記制御部（５１０）を初期化（ｉｎｉｔｉａｌｉｚｅ）する作業をして、前記初期化作業中にどんな周辺装置が連結されているのか確認する。
【００８６】
その次前記初期化によってネットワーク端末装置（５００）がメインコンピューター（４００）とネットワーク上でお互いに接続されて、前記メインコンピューター（４００）に具備された前記ネットワーク端末装置のオペレーティングシステム（ＯＳ）がダウンロードされる。（ＳＴ  ６２）
【００８７】
すなわち、前記制御部（５１０）が初期化になれば、前記ネットワーク端末装置（５００）に連結された使用者インタフェース（モニター、キーボード、マウス等）のためのインタフェースモジュール、前記ネットワーク端末装置が基本的なネットワーク装備として認識されるための基本モジュール等が具現されて、それによって前記ネットワーク端末装置が基本的なネットワーク装備に認識されて、前記ネットワーク端末装置がメインコンピューターとネットワーク上でお互いに接続されることができるようになる。
【００８８】
この時、前記メインコンピューター（４００）とネットワーク端末装置（５００）が接続されることはそれぞれ固有のＩＰアドレスを通じてお互いに認識することによる。  
【００８９】
よって、前記ネットワーク端末装置（５００）も固有のＩＰアドレスを持たなければならないし、このために前記非揮発性保存媒体（５２０）には前記ネットワーク端末装置が固有のＩＰアドレスを持つようにするプログラムが具備されていることを特徴とする。
【００９０】
又は、本発明の場合初期化される前記制御部（５１０）は、初期化によってネットワーク端末装置（５００）がメインコンピューター（４００）とネットワーク上でお互いに接続されるようにするのみならず、前記メインコンピューター（４００）に具備された前記ネットワーク端末装置のオペレーティングシステム（ＯＳ）をダウンロードを受けるようにする役割を遂行する。すなわち、本発明によるネットワーク端末装置（５００）は自体のＯＳを独立的に保存しないで、作動する時ごとに前記メインコンピューターからダウンロードを受けてこれを実行させることでコンピュータ作業を遂行することを特徴とする。
【００９１】
次に前記ダウンロードされるネットワーク端末装置のＯＳがネットワーク端末装置の揮発性保存媒体（５３０）に保存される。（ＳＴ  ６３）
【００９２】
ここで、前記揮発性保存媒体（５３０）は駆動メモリー（ｗｏｒｋｉｎｇ  ｍｅｍｏｒｙ）に使われることでラム（ＲＡＭ）に具現されることが望ましくて、前記ラム（ＲＡＭ）の用量は８ＭＢ以下が望ましい。
【００９３】
又は、前記制御部（５１０）でＳｏＣ（Ｓｙｓｔｅｍ  ｏｎ  ａ  Ｃｈｉｐ）を使う場合、前記ＯＳが揮発性保存媒体（５３０）に保存完了した後、前記制御部（５１０）すなわち、  ＳｏＣが前記ＯＳによって再初期化される段階をより経るようになる。（ＳＴ  ６４）
【００９４】
すなわち、本発明によるネットワーク端末装置（５００）は基本的なコンピュータ装置の構成要素である中央処理装置（ＣＰＵ）が具備されていないで、ダウンロードを受けたＯＳによって前記ＳｏＣを再初期化して、前記ネットワーク端末装置自体システム内部の演算、制御など一連の過程を制御して調整するようにすることで、最小の費用で多重接続コンピュータを遂行することができるようにすることをその特徴とする。  
【００９５】
次にこのように前記制御部（５１０）が再初期化されれば、前記ネットワーク端末装置（５００）は前記ネットワーク端末装置の作動のためのＯＳと、前記ＯＳによってネットワーク端末装置を全体的に制御する制御部を具備するようになって、使用者が望むコンピュータ作業（すなわち、メインコンピューターにネットワーク上に接続して使用者がするすべての作業が前記コンピューターで成り立って、その結果だけをネットワーク端末装置で送るようにする機能）を遂行するようになるのである。（ＳＴ  ６５）
【００９６】
すなわち、前記過程が完了すれば前記接続されたメインコンピューター（４００）のパターン画面に対するイメージがビットマップ形式に送信されて前記ネットワーク端末装置（５００）に連結されたモニター画面上に出力される。
【００９７】
この時、ビットマップは８ｂｉｔ又は１６ｂｉｔのビットマップ形式を送ることができるし、モニターに出力されるディスプレーサイズ及び色相数は使用者の要求によって調節されることができるし、前記ビットマップ形式のイメージ送信の時簡単な認証過程を経るようにできる。  
【００９８】
結果的に前記ネットワーク端末装置（５００）とメインコンピューター（４００）はネットワーク上に連結されて前記メインコンピューターに具備された多数の応用プログラムをネットワーク端末装置を使う使用者が直接遂行することができるようになるのである。  
【００９９】
ここにメインコンピューター（４００）はネットワーク端末装置（５００）の要請によって応用プログラムを駆動させて応用プログラムの駆動によるすべての計算と保存そして、その結果によって変更された領域のイメージはビットマップ形式でネットワークを通じて前記ネットワーク端末装置のモニター画面上に出力される。  
【０１００】
前記説明した本発明の実施例は本発明によるダウンロード方式のオペレーティングシステムで駆動されるネットワーク端末装置及びその作動方法を説明するための例示的なことに過ぎなくて、当該分野で通常の知識を持った者ならこれから多様で均等な例が可能だということを理解するでしょう。よって、本発明の真正な権利範囲は特許請求範囲によって決まらなければならないはずである。
【０１０１】
一例で前記ネットワーク端末装置にモニター（例：ＬＣＤモニター等）が装着されて前記メインコンピューターが前記ネットワーク端末装置のモニターに一方向的に画面／メモリーデータを自動遠隔更新する場合も可能である。
【図面の簡単な説明】
【０１０２】
【図１】従来のシーンクライアント／サーバーシステムの概略的な連結状態図。
【図２】従来のシーンクライアントネットワークシステムでグラフィック情報をサーバーからシーンクライアントに送る過程を図示した順序図。
【図３】本発明の一実施例によるダウンロード方式のオペレーティングシステムに駆動されるネットワーク端末装置が具備されたシステムを概略的に示した図面。
【図４】図３に図示されたメインコンピューターの内部構成を概略的に示すブロック図。
【図５】図３に図示された本発明によるネットワーク端末装置の内部構成を概略的に示すブロック図。
【図６】本発明の一実施例によるダウンロード方式のオペレーティングシステムに駆動されるネットワーク端末装置が具備されたシステムの作動を説明する順序図。
【符号の説明】
【０１０３】
４００  ：  メインコンピューター
５００  ：  ネットワーク端末装置
５１０  ：  前記制御部
５２０  ：  非揮発性保存媒体
５２２  ：  ＢＩＯＳ
５３０  ：  揮発性  保存媒体（ＲＡＭ）
５４０  ：  電源部
５５０  ：  通信部
５６０  ：  入出力フォト
【図１】
2007525756.tif 000003
【図２】
2007525756.tif 000004
【図３】
2007525756.tif 000005
【図４】
2007525756.tif 000006
【図５】
2007525756.tif 000007
【図６】
2007525756.tif 000008
【国際調査報告】
2007525756.tif 000009